(57)【要約】【課題】  密着して安定したシール性の高い当接面が得られ、取り外して再利用が可能な盲プラグを具備するメタルシールプラグ装置の提供。【解決手段】  桿状体１に雄螺子部２を螺刻し、この桿状体１の軸心上の上端部に雄螺子部２の径より大きい径の頭部３を連設し、該頭部の下方に顎部を配すると共に頭部３の上端面に隅部４ａを有する角形凹所４を設けてこの角形凹所４に嵌合する凸部を有する工具を用いて回動することで、雄螺子部２に係合する擂鉢状円錐面７の下方に連設した雌螺子部５に螺着可能とするメタルシールプラグ装置であって、頭部３の下方顎部６は雌螺子部５の上方擂鉢状円錐面７の周面に対し当接して密着可能な曲面形状を呈することを特徴とする。【選択図】        図１
2006283825.tif 000002
【特許請求の範囲】
【請求項１】
桿状体に雄螺子部を螺刻し、この桿状体の軸心上の上端部に前記雄螺子部の径より大きい径の頭部を連設し、該頭部の下方に顎部を配すると共に前記頭部の上端面に隅部を有する角形凹所を設けてこの角形凹所に嵌合する凸部を有する工具を用いて回動することで、前記雄螺子部に係合する擂鉢状円錐面下方に連設した雌螺子部に螺着可能とするメタルシールプラグ装置であって、前記頭部の下方顎部は雌螺子部の上方擂鉢状円錐面の周面に対し当接して密着可能な曲面形状を呈することを特徴とするメタルシールプラグ装置。
【請求項２】
前記曲面形状は、顎部の外周面が球面の一部を構成して成ることを特徴とする請求項１記載のメタルシールプラグ装置。
【請求項３】
前記曲面形状は、顎部の外周面が楕円の曲率の大きい曲面を構成して成ることを特徴とする請求項１記載のメタルシールプラグ装置。
【発明の詳細な説明】
【技術分野】
【０００１】
本発明は、メタルシールプラグ装置に関する。
【背景技術】
【０００２】
油圧バルブ、油圧ポンプ等の油圧装置の外部に連通する透孔の密閉技術に関する分野で、従来、知られる技術は、図５に示すように、油圧装置用盲プラグ装置として、「軸上の本体の一端部にねじ部を形成すると共に該ねじ部の根部に角形その他の旋回用頭部を形成し、該ねじ部と旋回用頭部との間に破断用の溝を形成するようにした油圧装置用盲プラグを、油圧装置に形成した穴を密閉すべく螺着するようにしたものにおいて、該ねじ部を平行ねじで形成すると共に該ねじ部と破断用の溝との間に該本体の他端部側へと拡がるテーパ状の顎部を設け、油圧装置の穴に平行ねじ穴を形成すると共に該穴の口縁にテーパ部を形成した。」という公報が開示されている（例えば、特許文献１参照。）。
【特許文献１】実公平５−３４３６９号公報
【発明の開示】
【発明が解決しようとする課題】
【０００３】
しかしながら上述の従来例では、（１）締め付け螺着後の盲プラグを取外せなくなる。（２）締め付けトルクが一定しないため、シール性が一定しない。（３）盲プラグＰｇの円錐部外周面１０３ａ（テーパ角θｐ）と雌螺子１０１側の擂鉢状円錐面１０３ｂ（テーパ角θ）とが接触するため、シール度を高めるには盲プラグ側の円錐部１０３ａのテーパ角θｐを、例えば、４０度に、雌螺子側の擂鉢状円錐面のテーパ角θを６０度に定めることになるが、この結果、雌螺子側の擂鉢状円錐面及び盲プラグ側の雄螺子部と雌螺子側の係合螺着する螺子根元の当接部（図５（ａ）及び（ｂ）Ｃ部拡大図、参照）に傷が生じ、欠損やつぶれなどにより密閉生が保持できないという問題がある。
【０００４】
尚、図５は盲プラグ２個取り（Ａ，Ｂ）の例であり、１０４は盲プラグＰｇを雌螺子１０１に捻じ込む際に用いる旋回用ナット部であり、捻じ込む力が一定のトルクを越えると、頭部１０３の上面の切り込み溝部１０２で切断される構成となっている。
【０００５】
本発明は、上述の事情に鑑みて成されたもので、密着して安定したシール性の高い当接面が得られ、且つ取り外して再利用が可能な盲プラグを具備するメタルシールプラグ装置を提供することを目的とする。
【課題を解決するための手段】
【０００６】
本発明は、下記構成を備えることにより上記課題を解決できるものである。
【０００７】
（１）桿状体に雄螺子部を螺刻し、この桿状体の軸心上の上端部に前記雄螺子部の径より大きい径の頭部を連設し、該頭部の下方に顎部を配すると共に頭部の上端面に隅部を有する角形凹所を設けてこの角形凹所に嵌合する凸部を有する工具を用いて回動することで、前記雄螺子部に係合する擂鉢状円錐面下方に連設した雌螺子部に螺着可能とするメタルシールプラグ装置であって、前記頭部の下方顎部は雌螺子部の上方擂鉢状円錐面の周面に対し当接して密着可能な曲面形状を呈するメタルシールプラグ装置。
【０００８】
（２）前記曲面形状は、顎部の外周面が球面の一部を構成して成る前項（１）記載のメタルシールプラグ装置。
【０００９】
（３）前記曲面形状は、顎部の外周面が楕円の曲率の大きい曲面を構成して成る前項（１）記載のメタルシールプラグ装置。
【発明の効果】
【００１０】
本発明によれば、密着して安定したシール性の高い当接面が得られ、且つ取り外して再利用が可能な盲プラグを具備するメタルシールプラグ装置を提供することが出来る。
【発明を実施するための最良の形態】
【００１１】
以下に本発明に係るメタルシールプラグ装置の実施の形態を説明する。
【００１２】
図１は、本発明に係るメタルシールプラグ装置のプラグ部の外観を示す斜視図、図２は、実施例１における状態を示す一部破断側面図、図３は、実施例２における状態を示す一部破断側面図、図４は、実施例３における状態を示す一部破断側面図、図５は、従来例における盲プラグ装置の説明図、（ａ）は取付け状態を示す一部破断側面図、（ｂ）はＣ部拡大図である。
【００１３】
油圧装置の外部に連通する透孔の密閉装置において、図１に示すように、桿状体１に雄螺子部２を螺刻し、この桿状体１の軸心上の上端部に雄螺子部２の径より大きい径の頭部３を連設し、該頭部３の下方に顎部６を配すると共に頭部３の上端面に隅部４ａを有する角形凹所４を設けてこの角形凹所４に嵌合する凸部を有する工具を用いて回動することで、雄螺子部２に係合する擂鉢状円錐面７の下方に連接した雌螺子部５に螺着可能とし、頭部３の下方顎部６は雌螺子部５の上方擂鉢状円錐面７の周面に対し当接して密着可能な曲面形状を呈する。
【実施例１】
【００１４】
実施例１は、図２に示すように、頭部３の下方顎部６の曲面形状が、雌螺子部５の上方擂鉢状円錐面７（テーパ角θ１）の周面に対し当接して密着可能となるように、当接・接触する周面が球面（図２中、０点を支点とする半径αが描く球面）の一部を構成した例である。
【実施例２】
【００１５】
実施例２は、図３に示すように、頭部３１の下方顎部６１の曲面形状が、雌螺子部５の上方擂鉢状円錐面７１（テーパ角θ２、実施例ではθ２≒６０度）の周面に対し当接して密着可能となるように、当接・接触する周面が楕円の曲率βの大きい曲面（曲率半径の小さい曲面）を構成した例である。
【実施例３】
【００１６】
実施例３は、雌螺子部５の上方擂鉢状円錐面７２のテーパ角θ３が≒９０度の場合の例であり、実施例２の場合よりもテーパ角が大きく、顎部６１の曲率を実施例２の場合と同様にβの儘でも当接・接触する周面が密着してシール性の高い状態を維持できた。
【００１７】
実施例２及び３の場合は、頭部３の縦断面が、図３及び図４に示されるように、やや扁平な楕円形状を呈し、曲率の大きい（曲率半径の小さい）外周面が各種のテーパ角を有する擂鉢状円錐面に当接・密着可能な構成となっている。
【００１８】
即ち、プラグ部の頭部の下方顎部の形状を、球面、若しくは曲面形状とすることにより、換言すれば、当接・接触部位を擂鉢状円錐面に対して突型曲面形状としたことで、従来の雄型円錐形状と雌型擂鉢状円錐面との当接部位の不安定さに比べて、汎用性と当接・密着・密閉性において、格段に優れたメタルシールプラグ装置を提供することができるというものである。
【００１９】
尚、本実施例では、隅部４ａを有する角形凹所４は、図１に示すように、六角穴として説明したが、角形凹所４の形状を六角穴に限定するものではなく、四角形を含む多角形の凹所としても良い。
【００２０】
以上説明したように、本発明の特徴及び効果は、以下の４点に整理することが出来る。即ち、
（１）盲プラグＰｇの頭部３の上面に隅部４ａを有する角形凹所４となる六角穴を設けたことで、盲プラグＰｇの取付け、取り外しが可能となり、一度の使用にとどまらず、繰り返し使用することが出来るようになった。
【００２１】
(２)盲プラグＰｇを螺着する透孔上部の擂鉢状円錐面のテーパ角（θ１、θ２、θ３）の加工精度がややラフであっても、密閉機能を示すシール性を確保できるようになった。
【００２２】
（３）従来例の構造のような切断部を必要としなくなったため、盲プラグＰｇの締め付けトルクを自由に設定でき、シール性を高めて、高圧力にも対応できるようになった。
【００２３】
（４）従来例の構造でのナット部分（図５中の、符号１０４）が不要となり、材料の無駄をなくすことが出来るようになった。
【図面の簡単な説明】
【００２４】
【図１】本発明に係るメタルシールプラグ装置のプラグ部の外観を示す斜視図
【図２】実施例１における状態を示す一部破断側面図
【図３】実施例２における状態を示す一部破断側面図
【図４】実施例３における状態を示す一部破断側面図
【図５】従来例における盲プラグ装置の説明図、（ａ）取付け状態を示す一部破断側面図、（ｂ）Ｃ部拡大図
【符号の説明】
【００２５】
１  桿状体
２  雄螺子部
３、３１  頭部
４  角形凹所
４ａ  隅部
５  雌螺子部
６、６１  顎部
７、７１、７２  擂鉢状円錐面
８  透孔
Ｐｇ  プラグ部（盲プラグ）
【図１】
2006283825.tif 000003
【図２】
2006283825.tif 000004
【図３】
2006283825.tif 000005
【図４】
2006283825.tif 000006
【図５】
2006283825.tif 000007
【手続補正書】
【提出日】平成18年8月22日(2006.8.22)
【手続補正１】
【補正対象書類名】特許請求の範囲
【補正対象項目名】請求項２
【補正方法】変更
【補正の内容】
【請求項２】
前記曲面形状は、顎部の外周面が球面から構成されることを特徴とする請求項１記載のメタルシールプラグ装置。
【手続補正２】
【補正対象書類名】特許請求の範囲
【補正対象項目名】請求項３
【補正方法】変更
【補正の内容】
【請求項３】
前記曲面形状は、顎部の外周面が大きい曲率と小さい曲率から成る楕円の曲率の大きい曲面から構成されることを特徴とする請求項１記載のメタルシールプラグ装置。
【手続補正３】
【補正対象書類名】明細書
【補正対象項目名】０００８
【補正方法】変更
【補正の内容】
【０００８】
（２）前記曲面形状は、顎部の外周面が球面から構成される前項（１）記載のメタルシールプラグ装置。
【手続補正４】
【補正対象書類名】明細書
【補正対象項目名】０００９
【補正方法】変更
【補正の内容】
【０００９】
（３）前記曲面形状は、顎部の外周面が大きい曲率と小さい曲率から成る楕円の曲率の大きい曲面から構成される前項（１）記載のメタルシールプラグ装置。